Podtech/llm-jp-corpus-v4-ja_patent huggingface dataset:
(57)【要約】      （修正有）【課題】バッグを装飾する飾り絵や額縁の中に入れる飾り絵を強靭にし、立体感を持たせることができる飾り絵内蔵枠体を提供する。【解決手段】方形または円形など任意の形状からなる窓１の周囲に補強の枠体２を設け、透明膜３を窓の前面に張設し、裏面に布や合成紙からなる補強紙５を一体に重合した新聞や雑誌の切り抜きなどからなる飾り絵４を透明膜３の内側に装着し、補強紙の裏面に、薄扁平状のスポンジと押さえ布を重合した補強体６を重ねて設ける。以上よりなる飾り絵を内蔵した枠体を、バッグの表面やカードケース、額縁に装着する。【選択図】図２
0003186559.tif 000002
【実用新案登録請求の範囲】
【請求項１】
方形または円形など任意の形状からなる窓（１）の周囲に補強の枠体（２）を設け、透明膜（３）を窓（１）の前面に張設し、裏面に布や合成紙からなる補強紙（５）を一体に重合した新聞や雑誌の切り抜きなどからなる飾り絵（４）を透明膜（３）の内側に装着し、補強紙（５）の裏面に、薄扁平状のスポンジ（６ａ）などの弾性材と押さえ布（６ｂ）を重合した補強体（６）を重ねて設け、飾り絵（４）を内蔵した枠体（２）をバッグ（７）やカードケースの表面、額縁（８）に装着したことを特徴とするバッグや額縁に組み込む飾り絵。
【考案の詳細な説明】
【技術分野】
【０００１】  本考案は、バッグやカードケースの正面や額縁に組み込むための飾り絵に関するものである。
【背景技術】
【０００２】  バッグを装飾する手段は、主にバッグの生地を絵柄模様に染色したり、あるいは生地の表面に写真や図案、絵画などを飾り絵として印刷加工する方法が利用されている。額縁に飾る絵や写真は、主に平面的に仕上げられた一枚の飾り絵でできている。
【考案の概要】
【考案が解決しようとする課題】
【０００３】  バッグを装飾する絵や写真は、主にカバンの生地の表面に印刷により加工されて大量に生産されるために、カバンの所有者が自分の好みの絵や写真を自由に飾ることは不可能だった。また、カバンの正面に窓を設けて、窓枠内に雑誌や新聞から切り取った絵や写真を飾り絵として挿入する方法は知られている。しかし、飾り絵は一枚の紙であるために挿入時に破れたりシワが寄ったりして、飾り絵の美観を損ねていた。また一枚の飾り絵は、平面的であるために、立体感が乏しかった。
額縁に新聞や雑誌の切抜きを飾り絵とする場合は、一枚の紙であるために破れたりシワが寄ったりして、額縁内の飾り絵の美観を損ねていた。また一枚の飾り絵は、平面的であるために、立体感が乏しかった。
本考案は以上の問題を解決し、バッグや額縁の飾り絵を、強靭にし、また立体感がでるように仕上げるためになされたものである。
【課題を解決するための手段】
【０００４】  方形または円形など任意の形状からなる窓（１）の周囲に補強の枠体（２）を設け、透明膜（３）を窓（１）の前面に張設し、裏面に布や合成紙からなる補強紙（５）を一体に重合した新聞や雑誌の切り抜きなどからなる飾り絵（４）を透明膜（３）の内側に装着し、補強紙（５）の裏面に、薄扁平状のスポンジ（６ａ）と押さえ布（６ｂ）を重合した補強体（６）を重ねて設ける。以上よりなる飾り絵（４）を内蔵した枠体（２）を、バッグ（７）の表面や額縁（８）に装着したことを特徴とするバッグやカードケース、額縁に組み込む飾り絵。
【考案の効果】
【０００５】  バッグやカードケースを装飾する飾り絵や額縁の中に入れる飾り絵を、新聞、雑誌から切り抜いた自分の好みの写真や絵画などを使用し、その飾り絵はシワがよったり破れたりすることがない強靭に仕上げ、また立体感を持たせた飾り絵とすることができる。
【図面の簡単な説明】
【０００６】
【図１】本考案の正面図
【図２】本考案をカバンに使用したときの分解斜視図
【図３】本考案のＡ−Ａ断面図
【図４】本考案を額縁に使用したときの分解斜視図
【本考案を実施するための形態】
【０００７】    以下、本考案の実施の形態を説明する。
（イ）  方形または円形、あるいは楕円形など任意の形状からなる窓（１）の周囲に補          強のための枠体（２）を設け、透明のビニールまたは樹脂からなる透明膜（３          ）を窓（１）の前面に張設する。
（ロ）  新聞や雑誌の切り抜きなどからなる飾り絵（４）の裏面に飾り絵（４）と同一          の大きさと形状を有する布や合成紙の補強紙（５）を重ねて糊により一体に合          着する。
（ハ）  補強紙（５）の裏面に、飾り絵（４）と同一の大きさと同一形状からなる補強          体（６）を重ねて設ける。
（ニ）  補強体（６）は、同大と同形状からなる薄扁平状のスポンジ（６ａ）と布生地          からなる押さえ布（６ｂ）を重ねて構成される。
（ホ）  窓（１）の内側に、補強紙（５）と一体化した飾り絵（４）が表面になるよに          補強体（６）を重ねて内蔵させる。
本考案は以上の構成よりなる。
本考案を使用する場合は、バッグ（７）の正面に本考案の枠体（２）を縫い付けて加工する。額縁（８）に使用する場合は、本考案を額縁（８）の内部に装着する。
飾り絵（４）は補強紙（５）により裏打ちされており強靭性を保持できる。また補強体（６）のスポンジ（６ａ）により飾り絵（４）を表面に押し出す作用が働き、立体的にする。
【符号の説明】
【０００８】  １は窓、２は枠体、３は透明膜、４は飾り絵、５は補強紙、６は補強体、６ａはポンジ、６ｂは押さえ布、７はバッグ、８は額縁
【図１】
0003186559.tif 000003
【図２】
0003186559.tif 000004
【図３】
0003186559.tif 000005
【図４】
0003186559.tif 000006
【手続補正書】
【提出日】平成25年7月17日(2013.7.17)
【手続補正１】
【補正対象書類名】実用新案登録請求の範囲
【補正対象項目名】請求項１
【補正方法】変更
【補正の内容】
【請求項１】
方形または円形など任意の形状からなる窓（１）の周囲に補強の枠体（２）を設け、透明膜（３）を窓（１）の前面に張設し、裏面に布や合成紙からなる補強紙（５）を一体に重合した新聞や雑誌の切り抜きなどからなる飾り絵（４）を透明膜（３）の内側に装着し、補強紙（５）の裏面に、薄扁平状のスポンジ（６ａ）などの弾性材と押さえ布（６ｂ）を重合した補強体（６）を重ねて設け、飾り絵（４）を内蔵した枠体（２）をバッグ（７）やカードケースの表面、額縁（８）に装着したことを特徴とする飾り絵内蔵枠体。
(57)【要約】      （修正有）【課題】ＵＳＢ端子から電力供給を受けて光るＵＶ−ＬＥＤライトを提供する。【解決手段】紫外線ＬＥＤを用いた光源とＵＳＢ端子を備え、集光レンズを有し、電力を充電機やパソコンのＵＳＢポートから取ることにより、移動が簡単にでき、電池式のものに比べ照射力の強いＵＶ−ＬＥＤライトが実現する。また電池交換の手間やそれにかかる費用も不要となる。【選択図】図１
0003186557.tif 000002
【実用新案登録請求の範囲】
【請求項１】
ＵＳＢ式ＵＶ−ＬＥＤライト。
【考案の詳細な説明】
【考案の詳細な説明】
【技術分野】
【０００１】  本考案は、ＵＳＢ端子から電力供給を受けるＵＶ−ＬＥＤライトに関する。
【背景技術】
【０００２】  現在市販されているＵＶ−ＬＥＤライトの電源は、コンセント式（アダプター式含む）と電池式の２種類がある。
【考案の概要】
【考案が解決しようとする課題】
【０００３】  現在、ＵＶ−ＬＥＤライトは様々な分野で使われているが（紙幣やパスポートの検査、紫外線で硬化する樹脂の光源、光触媒と併せた殺菌など）、市販されているＵＶ−ＬＥＤライトは、電力をコンセントから取る方式が主流で、この場合、ライトを他の部屋に移動させたり、コンセントのない場所で使用することが困難である。また、電源コードはかさばるため、収納しにくいというデメリットもある。
一方、比較的携帯性のある電池式の場合だが、こちらは電圧が低いため、照射力が弱いという欠点を持つ。また、電池交換のためのコストがかかり、使用済電池の廃棄は環境問題にも繋がる。
今後ますます用途が広がると予想されるＵＶ−ＬＥＤライトだが、その用途（セルフネイル等）によっては、今までのＵＶ−ＬＥＤライトと比べ、携帯性があり、照射力が強く、収納が簡単で、しかもコストのあまりかからないものが求められている。
【課題を解決するための手段】
【０００４】  本考案はＵＳＢコネクタにハイパワーＵＶ−ＬＥＤを取り付け、移動充電器やパソコンから電力供給を行うことが上記課題を解決するものとする。
【考案の効果】
【０００５】  本考案のＵＳＢ  ＵＶ−ＬＥＤライトは、ＵＳＢ端子によって、電力を移動充電器またはパソコンなどから取ることができ、コンセントのない場所での使用が可能となる。また長い電源コードを必要としないため、携帯性に優れており、コンパクトでありながら電池式に比べ照射力が強く、コストの点でも優位性がある。
【図面の簡単な説明】
【０００６】
【図１】実物図である
【図２】回路図である
【図３】ＵＶ−ＬＥＤモジュールである。
【図４】集光部品である。
【図５】ＵＳＢ  ＵＶ−ＬＥＤの応用例である。
【考案を実施するための形態】
【実施例】
【０００７】以下使用方法を説明する。図２に示すようにＵＳＢ端子から５Ｖの電圧を抵抗分割回路により抵抗Ｒを分圧し（１．７Ｖと３．３Ｖ）、３．３ＶをＬＥＤライトにかけ、スイッチ（ＳＷ）のＯＮ／ＯＦＦで、ＬＥＤライトの点灯／消灯を行う。【０００８】  ＵＳＢ端子があればどんな場所でも使用可能なほか、コンパクトでもち運びにも大変便利である。例えば、一人１台以上携帯電話を保有する現代、携帯予備バッテリーでも本考案のＵＳＢアダプターが使用できる。よって、利便性、実用性が高くなるといえる。アダプター出力端子部分を変えれば、多くの機器に本考案のＵＳＢアダプターが利用でき、コンパクト化、軽量化、そして省エネ効果が期待できる。
【符号の説明】
【００９】
【図１】
0003186557.tif 000003
【図２】
0003186557.tif 000004
【図３】
0003186557.tif 000005
【図４】
0003186557.tif 000006
【図５】
0003186557.tif 000007
【手続補正書】
【提出日】平成25年7月25日(2013.7.25)
【手続補正１】
【補正対象書類名】実用新案登録請求の範囲
【補正対象項目名】全文
【補正方法】変更
【補正の内容】
【実用新案登録請求の範囲】
【請求項１】
紫外線ＬＥＤを用いた光源とＵＳＢ端子を備え、集光レンズを有することを特徴とするＵＶ−ＬＥＤライト。
(57)【要約】      （修正有）【課題】表面の擦れ、捩れの負荷荷重でも、ずれにくいソファーカバーのずれ防止構造を提供する。【解決手段】ソファーカバー裏面に、摩擦係数が高く、滑り止め効果がある素材を取り付ける。例えば、滑り止め効果のある素材が取り付けられた布を裏面に取り付ける。または、ソファーカバー裏面に、直接、滑り止め素材を全面に接着する。または、ソファーカバー裏面に樹脂製滑り止め突起を取り付ける。【選択図】図１
0003186556.tif 000002
【実用新案登録請求の範囲】
【請求項１】
裏面全体に滑り止め素材を付着した布を使用することを特徴とするソファーカバー
【請求項２】
裏面に樹脂製滑り止め突起を多数接着したことを特徴とするソファーカバー
【請求項３】
裏面に適宜滑り止め効果のある布を取り付けたことを特徴とするソファーカバー
【考案の詳細な説明】
【技術分野】
【０００１】この考案は、椅子やソファー等の家具に用いるカバーの滑り止め構造に関する。
【背景技術】
【０００２】従来の椅子やソファー等の家具に用いるカバーの滑り止め構造は、座面とカバーを紐等で固定したり、本体とクッションの間に挟み込むずれ防止用布が取り付けられたものである。
【先行技術文献】
【特許文献】
【０００３】
【特許文献１】登録実用新案第３０７５８５７
【０００４】
【特許文献２】特許公開平１１−３０９０４９
【考案の概要】
【考案が解決しようとする課題】
【０００５】しかしながら、以上の技術によれば、荷重の向きや大きさによって、カバーはずれやすく、特に擦る、捩じる等の負荷荷重によりずれが生じてしまう。
そこで、この考案は、表面の擦れ、捩れの負荷荷重でも、ずれにくいソファーカバーを提供することを課題とする。
【課題を解決するための手段】
【０００６】以上の課題を解決するために、ソファーカバー裏面に滑り止め素材を取り付けたことを特徴とする。
【考案の効果】
【０００７】上記手段で、ソファーカバー裏面に滑り止め素材を取り付けたことによりソファーカバーは、表面の擦れ、捩れの負荷がかかっても使用時に、ずれにくくなる。
【図面の簡単な説明】
【０００８】
【図１】この考案の一実施形態を示す斜視図である。
【図２】従来技術を示す斜視図である。
【図３】図１の符号４、滑り止めの一例を示す断面図である。
【図４】図１の符号４、滑り止めの一例を示す断面図である。
【考案を実施するための形態】
【０００９】この考案の一実施形態を図１にしめす。
ソファーカバー本体は布製であり、この本体裏面には、滑り止め素材を取り付けてある布を使用してある。
【実施形態の効果】
【００１０】この実施形態によれば、ソファーカバー裏面に取り付けた、滑り止めの働きで、擦る，捩るといった強い負荷荷重が掛っても、使用時のずれが防止できる。
【符号の説明】
【００１１】１  座面
２  背もたれ部分
３  開口部
４  滑り止め素材を取り付けた部分
５  袋状本体
Ａ  滑り止め素材
Ｂ  基布
Ｃ  樹脂製滑り止め
Ｄ  基布
【図１】
0003186556.tif 000003
【図２】
0003186556.tif 000004
【図３】
0003186556.tif 000005
【図４】
0003186556.tif 000006
(57)【要約】      （修正有）【課題】用途に合わせ内部の着せ替えチップが取り替え可能で、着せ替えチップを交換するだけで、何通りもの使い分け使用を可能とした着せ替えネクタイピンを提供する。【解決手段】筒状のネクタイピン本体を凹型の底面を背にした台座１と板状の蓋部分３を接合させて形成し、かつネクタイピン本体は板状の蓋部分３に窓が設けられ、ネクタイピン本体の窓部に対向する側にバネ４が設けられて成る。筒状と成った本体後部、或は前部に設けられた差し込み口に、貴金属または金属を用いて板状に形成されたカラーチップを挿入させた。ネクタイピン、留め具、カラーチップは金属被膜を形成し、金、銀、銅、チタン、ニッケル、クロム等のメッキ又は金属コーティングを施すか、或はカラーコーティングする事で、被膜で構成する。カラーチップはエナメル等で色付け後、金属メッキ又は金属コーティングする事で、何通りも色、パターンを応用出来る。【選択図】図１
0003186562.tif 000002
【実用新案登録請求の範囲】
【請求項１】
筒状のネクタイピン本体と該ネクタイピン本体の一端部に一体に結合された脚部とからなるネクタイピンであって、前記ネクタイピン本体は窓部が設けられ、前記ネクタイピン本体の前記窓部に対向する側に板バネが設けられて成ると共に、前記窓部と前記板バネの間に、バネにより固定される板が挿入されて成ることを特徴とするネクタイピン。
【請求項２】
筒状のネクタイピン本体を凹型の底面を背にした台座と板状の蓋部を接合させて形成し、かつネクタイピン本体は板状の蓋部に窓が設けられ、ネクタイピン本体の窓部に対向する側に板バネが設けられて成ると共に、筒状と成った本体後部、或は前部に設けられた差し込み口に、卑金属、金属を用いて板状に形成されたカラーチップを挿入させた事を特徴とする請求項１記載のネクタイピン。
【請求項３】
ネクタイピン本体を、黄銅、鉄、ステンレス、チタン及び合金からなる、台座、空洞部分、蓋部分、バネおよびネクタイピン本体と同素材のバネ付きのクリップ部分によって形成し、カラーチップをバネと蓋部分との間に出入自在に挿入したことを特徴とする請求項１または請求項２記載のネクタイピン。
【考案の詳細な説明】
【技術分野】
【０００１】
本考案は金属で形成された後方に差し込み口の付いた箱形ネクタイピンの中身のチップを差し替える事により、柄を変更する事ができるネクタイピン、及びネクタイピンの替えチップに関わるものである
【背景技術】
【０００２】
ネクタイピンは通常スーツ周りの小物やシャツ等の色と組み合わせて、何本も用意したり、メッキ色のみで色づけされている物を使う事が多かった。
【考案の概要】
【考案が解決しようとする課題】
【０００３】
低価格ファッションが台頭し、シャツやネクタイが低価格で販売されている現在、比較的使用頻度の少ないネクタイピンを何本も買う事はユーザーにとっての経済的コストも高かった。従ってネクタイピン本体をそのまま使い、カラーチップを取り替えるだけで何本もネクタイピンを持っている事と同じ感覚を楽しむ事が可能になり、前述の問題点を解決しようとするものである。
【考案が解決しようとする手段】
【０００４】
本考案は2つ以上の金属パーツで形成されたネクタイピン後部の差し込み口より、別パーツの金属及びプラスチックの板で形成されたカラーチップ、を差し込む事により、用途に合わせ色を変更出来るネクタイピン、及びカラーチップで、カラーチップを取り替えるだけで何本もネクタイピンを持っている事と同じ感覚を楽しむ事が可能になり、前述の問題点を解決している。
【考案の効果】
【０００５】
上述の様に、本考案の着せ替えネクタイピンは1セットで通常のネクタイピンとしての用途を成しているうえ、別でカラーチップを用意する事で、何本もネクタイピンを持っている事と変わらない効果を得る事が可能となり、コーディネートの幅を広げる事も可能にし、普段あまり使わないネクタイピンをより身近な物と捉える事が可能になる為、ユーザーのコーディネート意欲を高め、広くは他関連商品の購買意欲向上を促す相乗効果もある。
【図面の簡単な説明】
【０００６】
【図１】ネクタイピン本体の断面図である。
【図２】同、側面図である。
【図３】同、縦断面図である。
【図４】カラーチップの平面図である。
【図５】同、底面図である。
【図６】ネクタイピン本体の平面図である。
【図７】同、空洞部分の平面図である。
【図８】カラーチップの側面図である。
【図９】同、断面図である。
【考案を実施するための形態】
【０００７】
ネクタイピン本体を１底部（台座）、２中空部（カラーチップ及びバネの入る空洞部分）、３上部（蓋部分）、４バネの４パーツの金属＋同じく金属の５脚部（バネ付きのクリップ部分）によって本体を形成、１部分の差し込み口となる部分に出っ張りを作り、１２３を接合・固定し２部分に４を差し込み、カラーチップが１部分に近い部分で固定され、中で遊ばない仕組みを作り、１の後端底部に５を取り付ける事でネクタイピン本体とし、別パーツの６カラーチップを２に脱着し、着せ替えが可能な形態となる。
【図１】
0003186562.tif 000003
【図２】
0003186562.tif 000004
【図３】
0003186562.tif 000005
【図４】
0003186562.tif 000006
【図５】
0003186562.tif 000007
【図６】
0003186562.tif 000008
【図７】
0003186562.tif 000009
【図８】
0003186562.tif 000010
【図９】
0003186562.tif 000011
【手続補正書】
【提出日】平成25年8月13日(2013.8.13)
【手続補正１】
【補正対象書類名】実用新案登録請求の範囲
【補正対象項目名】全文
【補正方法】変更
【補正の内容】
【実用新案登録請求の範囲】
【請求項１】
筒状のネクタイピン本体と該ネクタイピン本体の一端部に一体に結合された脚部とからなるネクタイピンであって、前記ネクタイピン本体は窓部が設けられ、前記ネクタイピン本体の前記窓部に対向する側に板バネが設けられて成ると共に、前記窓部と前記板バネの間に、バネにより固定される板が挿入されて成ることを特徴とするネクタイピン。
【請求項２】
筒状のネクタイピン本体を凹型の底面を背にした台座と板状の蓋部を接合させて形成し、かつネクタイピン本体は板状の蓋部に窓が設けられ、ネクタイピン本体の窓部に対向する側に板バネが設けられて成ると共に、筒状と成った本体後部、或は前部に設けられた差し込み口に、貴金属または金属を用いて板状に形成されたカラーチップを挿入させた事を特徴とする請求項１記載のネクタイピン。
【請求項３】
ネクタイピン本体を、黄銅、鉄、ステンレス、チタン及び合金のうち、いずれか１つ以上を選択してなる、台座、空洞部分、蓋部分、バネおよびネクタイピン本体と同素材のバネ付きのクリップ部分によって形成し、カラーチップをバネと蓋部分との間に出入自在に挿入したことを特徴とする請求項１または請求項２記載のネクタイピン。
(57)【要約】      （修正有）【課題】書棚等に多数収納したクリアファイルの、外観による検索抽出を迅速に行う事が可能な、クリアファイルを提供する。【解決手段】透明又は半透明な表裏二枚のシートで形成し、４辺の縁辺部分２〜５を鮮明な色でを帯状に着色する。従来のクリアファイルを一緒に多数保管した場合、本考案クリアファイルは鮮明な着色のため、検索抽出が容易である。また、縁辺の帯状部分の着色以外は、透明又は半透明なので、挟み込んだ書類の内容確認が容易である。【選択図】図１
0003186564.tif 000002
【実用新案登録請求の範囲】
【請求項１】
透明又は半透明な表裏二枚のシートで形成されており、４辺の縁辺部分を帯状に着色したことを特徴とするクリアファイル。
【請求項２】
前記述において、帯状部分には鮮明な着色がなされているため、書棚等に多数保管した場合の、検索抽出が容易であることを特徴としたクリアファイル。
【請求項３】
前記述クリアファイルにおいて、従来からのクリアファイルと構造的な違いはなく、製造コストを低く抑えることができることを、特徴としたクリアファイル。
【考案の詳細な説明】
【技術分野】
【０００１】  本考案は、書類などを収納するクリアファイルに関する。
【背景技術】
【０００２】  従来のクリアファイルは、透明又は半透明な表裏二枚のシートで形成されており、書類、パンフレット等を簡易にまとめておく場合に極めて便利なことや、価格が安価なことから、事務用品として広く普及している。（非特許文献１参照）【０００３】  このようなクリアファイルは、その使用目的から内容物の確認や整理のために、カラークリアファイル等で分類されることが望ましい。（非特許文献２参照）
【先行技術文献】
【非特許文献】
【０００４】
【非特許文献１】  「アスクルカタログ２０１３春・夏号」ｐ２６
【非特許文献２】  「アスクルカタログ２０１３春・夏号」ｐ２７
【考案の概要】
【考案が解決しようとする課題】
【０００５】  従来のからの、書類やパンフレット等収納に利用されている薄いシート構造のクリアファイルには、多様なデザインや色彩等があり、書棚等に収納、又は平積等で保管している場合が多いため、検索抽出に時間がかかり、作業効率が落ちる場合がある。【０００６】  また、従来のカラークリアファイルは、挟み込んだ書類等の内容が判別しにくい場合がある。【０００７】  更に、従来のクリアファイルは安価なため、雑に扱われる事が多く、整然と整理された状況にない場合がある。
【課題を解決するための手段】
【０００８】  本考案においては、４辺の縁辺部分（図面の２から５、７から１０）を帯状に鮮明な同一色で着色した。【０００９】  本考案のクリアファイルの同一色だけを保管収納すると、従来のクリアファイルと同じように、検索抽出に時間がかかるため、多色の本考案クリアファイルを準備する。
【考案の効果】
【０００１０】  任意の保管場所に、本考案クリアファイルや、従来のクリアファイルを一緒に多数保管した場合、本考案クリアファイルは鮮明な着色のため、検索抽出が容易である。【０００１１】  本考案のクリアファイルは、縁辺の帯状部分の着色以外は、透明又は半透明なので、挟み込んだ書類の内容確認が容易である。【０００１２】  また、従来のクリアファイルと構造的に違いはなく、製造コストも低く抑えることができる。【０００１３】  以上の記述により、本考案のクリアファイルでは、外観からの検索抽出の時間が短縮され、作業効率の向上が期待できる。
【図面の簡単な説明】
【０００１４】
【図１】  「本考案のプチカラークリアファイルを示す正面図である。」
【図２】  「本考案のプチカラークリアファイルを示す裏面図である。」
【図３】  「本考案のプチカラークリアファイルを示す斜視図である。」
【考案を実施するための形態】
【０００１５】  図１において、本実施形態に係るクリアファイルは、１枚のシートが中央の折辺で山折りされ、重ねられて底縁５において圧着された構造となっている。
【０００１６】  縁辺の、２から５まで（図１参照）、７から１０まで（図２参照）の帯状部分には鮮明な着色が施されている。
【０００１７】  前記述以外の部分は、透明又は半透明となっている。
【符号の説明】
【０００１８】１              クリアファイル表面シート
２から４まで    帯状着色部分
６              クリアファイル裏面シート
７から９まで    帯状着色部分
５、１０        底辺圧着部分で帯状着色部分
【図１】
0003186564.tif 000003
【図２】
0003186564.tif 000004
【図３】
0003186564.tif 000005
【手続補正書】
【提出日】平成25年7月29日(2013.7.29)
【手続補正１】
【補正対象書類名】実用新案登録請求の範囲
【補正対象項目名】全文
【補正方法】変更
【補正の内容】
【実用新案登録請求の範囲】
【請求項１】
透明又は半透明な表裏二枚のシートで形成されており、４辺の縁辺部分を帯状に着色したことを特徴とするクリアファイル。
(57)【要約】      （修正有）【課題】レジ袋やごみ袋の大きさに箱の大きさを合わせれることと同時に箱の設置する場所の広さに箱の大きさを合わせることを可能にする箱体を提供する。【解決手段】底板に側板２の下端の一部を固着して成る箱体３であって、前記側板の右端の外側及び／又は内側と前記側板の左端の内側及び／又は外側に前記側板の右端と左端とが互いに係止する係止手段を設けて成る箱体３が解決手段である。【選択図】図２
0003186665.tif 000002
【実用新案登録請求の範囲】
【請求項１】
底板に側板の下端の一部を固着して成る箱体であって、前記側板の右端の外側及び／又は内側と前記側板の左端の内側及び／又は外側に前記側板の右端と左端とが互いに係止する係止手段を設けて成る特徴とする箱体。
【考案の詳細な説明】
【技術分野】
【０００１】
本考案は、形状を安易に変形させて便利さを向上させる箱体に関するものである。
【背景技術】
【０００２】
現在の箱は、箱の内面損傷や汚れを、防ぐためにレジ袋等を箱の内側に装着して、使用することが行われている。しかしながら、現在の箱は、箱の形状が固定されているため、レジ袋の大きさが箱より小さい場合はレジ袋が使用できなかった。
【０００３】
箱の形状に合ったゴミ袋を購入して、箱の内面に装着していたが、その箱に合った袋しか装着できなかった。
【０００４】
又、箱の形状が固定されていた為、箱の大きさによっては、設置場所の制約があった。
【考案の概要】
【考案が解決しようとする課題】
【０００５】
本考案の解決しようとする課題は、レジ袋やごみ袋の大きさに箱の大きさを合わせることを可能にすることである。又、箱の設置場所の広さに箱の大きさを合わせることを可能にすることである。
【課題を解決するための手段】
【０００６】
本考案は、上記課題を解決するために、成されたもので請求項１に記載の箱体は底板に側板の下端の一部を固着して成る箱体であって、前記側板の右端の外側及び／又は内側と前記側板の左端の内側及び／又は外側に前記側板の右端と左端とが互いに係止する係止手段を設けて成る特徴とする。
【考案の効果】
【０００７】
本考案の利点は、箱体の大きさが変えることができ、設置範囲が広がる点と、その箱体を利用するレジ袋やごみ袋の使用サイズが広がる点があり、利用目的を拡大させる事が可能になる。
【図面の簡単な説明】
【０００８】
【図１】本考案の実施形態を示す平面図。
【図２】本考案の実施形態を示す正面図。
【図３】本考案の実施形態の係止手段を示す平面図。
【考案を実施するための形態】
【０００９】
以下は本考案の実施例を挙げて詳細に説明する。
【実施例】
【００１０】
図１と図２は本考案を示すための説明図であって、図１は箱体の平面図を示す。図２は箱体の正面図を示す。  底板１は円盤状を成している。側板２は円筒を縦に切断して得られたものを用い、該側板２の右端の外側と左端の内側に係止手段４が設けられている。係止手段４は、側板２の縦方向に鋸刃状の起伏が複数設けられている。重なった前記側板の右端と左端を係止させることによって所望の容積が確保できる。
【産業上の利用可能性】
【００１１】
本考案が、利用可能な設置箇所を拡大できるため、社会の不法投棄を防ぐことができると同時に利用目的も拡大できる。
【符号の説明】
【００１２】
１    底板
２    側板
３    箱体
４    係止手段
【図１】
0003186665.tif 000003
【図２】
0003186665.tif 000004
【図３】
0003186665.tif 000005
(57)【要約】      （修正有）【課題】シンプルな構造と合理的な設計で、夜に使いやすい保温夜光スリッパを提供する。【解決手段】靴底１、靴底１の表面に設置されたスイッチ４、靴底１の上部に設置された表地２、表地２の縁に設置された発光体３、表地２の内側に設置された加熱ワイヤ５を含む。表地２の内側に設置された加熱ワイヤ５によって、温度を保つ効果を果たし、表地２の縁に設置された発光体３は暗闇で光るため、スリッパの具体的位置を特定でき、電気を点けることや足で探すことをしなくても、簡単にスリッパを見つけることができ、非常に使いやすい。【選択図】図１
0003186669.tif 000002
【実用新案登録請求の範囲】
【請求項１】
保温夜光スリッパであり、その特徴とは：靴底、靴底の表面に設置されたスイッチ、靴底の上部に設置された表地、表地の縁に設置された発光体、表地の内側に設置された加熱ワイヤを含む。
【請求項２】
請求項1に述べた保温夜光スリッパに従って、その特徴は：上述した保温夜光スリッパの表地にバッテリーが内蔵され、リード線を介して加熱ワイヤと接続されている。
【考案の詳細な説明】
【技術分野】
【０００１】
本実用新案は保温夜光スリッパの分野に関与する。
【背景技術】
【０００２】
スリッパは人々の日常生活における必需品であり、ほとんどの人は、リビングルームでスリッパを着用する。人々の生活水準の向上に伴って、スリッパの種類もますます豊富になる。例えば：プラスチックスリッパ、綿のスリッパ、布のスリッパなど、人々の生活に大きな利便性をもたらしている。しかし、これらのスリッパは暗闇の中で見つけ難いため、夜に使用するのが非常に不便であり、スリッパを見つけるために電気を点けることや足で探すことしかない。しかし、電気を点けることも、足で探すことも、他人の睡眠に影響を与えるだけでなく、スリッパ使用者の眠気をすべてなくさせ、再びの入眠が困難になり、睡眠に悪影響を与える。
【考案の概要】
【考案が解決しようとする課題】
【０００３】
本実用新案で解決しようとする技術問題とは、シンプルな構造と合理的な設計で、夜に使いやすい保温夜光スリッパを提供することである。
【課題を解決するための手段】
【０００４】
本実用新案の保温夜光スリッパは靴底、靴底の表面に設置されたスイッチ、靴底の上部に設置された表地、表地の縁に設置された発光体、表地の内側に設置された加熱ワイヤを含む。
【０００５】
優れた技術案として、上述した保温夜光スリッパの表地にバッテリーが内蔵され、リード線を介して加熱ワイヤと接続されている。
【考案の効果】
【０００６】
本実用新案の保温夜光スリッパの有益な効果とは：表地の内側に設置された加熱ワイヤによって、温度を保つ効果を果たし、表地の縁に設置された発光体は暗闇で光るため、スリッパの具体的位置を特定でき、電気を点けることや足で探すことをしなくても、簡単にスリッパを見つけることができ、非常に使いやすい。
【図面の簡単な説明】
【０００７】
【図１】本実用新案の保温夜光スリッパの構造概略図である。
【考案を実施するための形態】
【０００８】
説明を容易にするために、本実用新案は次の具体的な実施例、及び添付図面で詳しく説明する。
【０００９】
図1の様に、本実用新案の保温夜光スリッパは靴底1、靴底1の表面に設置されたスイッチ4、靴底1の上部に設置された表地2、表地2の縁に設置された発光体3、表地2の内側に設置された加熱ワイヤ5を含む。表地2の内側に設置された加熱ワイヤ5によって、温度を保つ効果を果たし、表地2の縁に設置された発光体3は暗闇で光るため、スリッパの具体的位置を特定でき、電気を点けることや足で探すことをしなくても、簡単にスリッパを見つける。
【００１０】
そのうち、上述した保温夜光スリッパの表地2にバッテリー（図示せず）が内蔵され、リード線（図示せず）を介して加熱ワイヤ5と接続されている。
【００１１】
本実用新案の保温夜光スリッパの有益な効果とは：表地の内側に設置された加熱ワイヤによって、温度を保つ効果を果たし、表地の縁に設置された発光体は暗闇で光るため、スリッパの具体的位置を特定でき、電気を点けることや足で探すことをしなくても、簡単にスリッパを見つけることができ、非常に使いやすい。
【００１２】
上記実施例は、本実用新案の具体的な実施方式の一種であり、本実用新案の実施と権利範囲を限定するものではない。本実用新案の請求の範囲に述べた内容と同じ、また類似する技術案は、すべて本実用新案の保護範囲に覆われる。
【符号の説明】
【００１３】
1  靴底
2  表地
3  発光体
4  スイッチ
5  加熱ワイヤ
【図１】
0003186669.tif 000003
(57)【要約】      （修正有）【課題】煎餅等の湿気を阻止する商品を収納し、個々に小分けされており、これらが全て外部から商品を見ることができる包装用容器を提供する。【解決手段】透明で、非通気性を有する素材を用いた筒状体であり、有底の内容器１を設け、該内容器１には乾燥状態を必要する商品を充填後、該内容器の開口部をシール材２で封印し、この容器１を、断面形状が直角三角形のトレー３に設置穴３ａを複数個列設して、該トレー３を挿入する透明素材を用いた外容器４に収納することを特徴とする包装用容器から構成される。【選択図】図４
0003186621.tif 000002
【実用新案登録請求の範囲】
【請求項１】
透明で、非通気性を有する素材を用いた筒状体であり、有底の内容器（１）を設け、該内容器（１）には乾燥状態を必要する商品（Ｘ）を充填後、該内容器の開口部（１ａ）をシール材（２）で封印し、この容器（１）を、断面形状が直角三角形のトレー（３）に設置穴（３ａ）を複数個列設して、該トレー（３）を挿入する透明素材を用いた外容器（４）に収納することを特徴とする包装用容器。
【考案の詳細な説明】
【技術分野】
【０００１】
この考案は、菓子等の商品を入れ包装する包装用容器に関するものである。
【背景技術】
【０００２】
従来、ゼリー等の洋菓子は、透明、あるいは半透明のプラスチック製のカップ状容器に入れ、これらをショーケース内に列設して販売されている。
【０００３】
一方、同じ、お菓子であっても和菓子で、乾燥を必要とする，あられや煎餅等は、通常は小分けして袋に入れられ、これらを大きな紙製の箱やブリキ製の缶等に入れて販売されている。
【０００４】
しかしながら、不透明な箱や缶であれば中の商品を見ることができず、購買者は試食品で味わってから購入しているのが普通であった。
【０００５】
しかし、サブレ等の菓子の包装に関する技術として、包装用トレイが開示されている。例えば、特許文献１のように。
【先行技術文献】
【特許文献】
【０００６】
【特許文献１】実用新案登録第３００１４９５号公報
【０００７】
しかし、この技術は、瓦形状のサブレーを安定的に載置収納し、この一枚のサブレが破損しないように配慮され、内部に乾燥剤を収納する箇所を確保し、サブレの破損と湿気を防止するトレイに過ぎなかった。
【考案の概要】
【考案が解決しようとする課題】
【０００８】
そこで、この考案は、あられや煎餅等のように湿気を好まない商品を収納し、個々に小分けされており、これらが全て外部から商品を見ることができる包装用容器を提供・開発するものである。
【課題を解決するための手段】
【０００９】
上記の課題を解決するため、内・外の２つの容器がそれぞれ透明であり、内部の商品が外部から見えやすく構成し、しかも、湿気を防止でき、また、商品の包装が簡単な包装用容器である。
【考案の効果】
【００１０】
この考案によると、複数個の内容器と１個の外容器との、内・外２つの容器がそれぞれ透明素材で形成されており、店頭に展示しても外容器から内容器の商品がそのまま見え、美麗であり、かつ、注意を喚起することができ購買意欲をそそる包装用容器であるという、極めて有益なる効果を奏する。
【００１１】
さらに、湿気防止を必要とする煎餅も、内容器（１）の開口部に、それぞれシール材（２）で被覆することにより、乾燥が保たれることにより品質の保持が保てる等の有益なる効果を奏する。
【００１２】
また、各内容器（１）の底部をトレー（３）の設置穴（３ａ）に、それぞれ嵌挿して列設するため、各内容器（１）が倒れることなく、また、これら各容器（１）をトレー（３）に搭載したまま、外容器（４）に収納するため、包装作業が極めて簡単である等の格別の効果を奏するものである。
【図面の簡単な説明】
【００１３】
【図１】この考案に使用する内容器の一実施例を示し、（Ａ）は一部欠截平面図であり、（Ｂ）は、一部欠截正面図である。
【図２】この考案の使用状態を示し、（Ａ）は、一部欠截平面図、（Ｂ）は、一部欠截正面図である。
【図３】この考案の使用状態を示し、（Ａ）は側面図であり、（Ｂ）は、断面図である。
【図４】この考案の使用状態を示す説明図である。
【考案を実施するための形態】
【００１４】
以下、この考案について詳細に説明する。尚、この考案においては、以下の記述に限定されるものではなく、この考案の要旨を逸脱しない範囲においては適宜変更可能である。
【実施例】
【００１５】
次に、この考案の一実施例を図面に従って説明すると、透明で、非通気性を有する素材を用いた筒状体であり、有底の内容器（１）を設け、該内容器（１）には乾燥状態を必要する商品（Ｘ）を充填後、該内容器の開口部（１ａ）をシール材（２）で封印し、この容器（１）を、断面形状が直角三角形のトレー（３）に設置穴（３ａ）を複数個列設して、該トレー（３）を挿入する透明素材を用いた外容器（４）に収納することを特徴とする包装用容器から構成される。
【００１６】
そして、この考案の各素材を詳述すると、透明素材であり、非通気性を有する素材とは透明プラスチック製をいい、トレー（３）は、必要によっては紙製であってもよく、商品（Ｘ）とは、具体的には、乾燥状態を保持して包装する必要する，あられ、煎餅等をいう。
【００１７】
尚、内容器（１）の具体的形状は、図面に示すように、下に向かうに従って細くなるテーパ状の有底の容器である。
【００１８】
さらに、該内容器（１）には商品（Ｘ）を充填後、開口部をシール材（２）で封入して内部の商品（Ｘ）の湿気を防止するものである。
【００１９】
また、この内容器（１）は、５個を、ワンセットとして前方からより内容器（１）が見え易い形状である，断面形状が直角三角形のトレー（３）に設置穴（３ａ）に嵌挿して、これを一体として、トレー（３）に搭載したまま、外容器（４）に収納して包装する包装用容器である。
【００２０】
また、各、内容器（１）には、それぞれ味や色彩等の異なる商品ごとに入れ、それぞれを品名等を表示する短冊状の標章（Ｙ）を貼着してもよい。
【産業上の利用可能性】
【００２１】
この考案によると、包装用容器の技術を確立し、実施・販売することにより産業上の利用可能性がある。
【符号の説明】
【００２２】
１  内容器
１ａ  開口部
２  シール材
３  直角三角形のトレー
３ａ  設置穴
４  外容器
Ｘ  商品
Ｙ  標章
【図１】
0003186621.tif 000003
【図２】
0003186621.tif 000004
【図３】
0003186621.tif 000005
【図４】
0003186621.tif 000006
(57)【要約】      （修正有）【課題】マイクロ波感知によるＬＥＤ蛍光灯を提供する。【解決手段】蛍光灯シェード３、蛍光灯接続端２、ＬＥＤ及び蛍光灯本体１で構成される。蛍光灯接続端２は蛍光灯本体１の両端に設置され、蛍光灯シェード３は蛍光灯本体１に設置されると共にＬＥＤを覆って設けられる。ＬＥＤ蛍光灯は、マイクロ波感知装置を更に含む。また、蛍光灯シェード３はマイクロ波感知装置を覆って設けられる。従って、本考案によれば便利に使用されると共に、自動制御の場合に適用することが可能である。【選択図】図１
0003186699.tif 000002
【実用新案登録請求の範囲】
【請求項１】
蛍光灯シェード（３）と蛍光灯接続端（２）とＬＥＤと蛍光灯本体（１）で構成され、蛍光灯接続端（２）は蛍光灯本体（１）の両端に設置され、蛍光灯シェード（３）は蛍光灯本体（１）に設置されると共に前記ＬＥＤを覆って設けられるマイクロ波感知によるＬＥＤ蛍光灯であって、
マイクロ波感知装置をさらに具備し、蛍光灯シェード（３）は前記マイクロ波感知装置を覆って設けられることを特徴とするマイクロ波感知によるＬＥＤ蛍光灯。
【請求項２】
前記蛍光灯本体（１）はアルミニウム合金製の発熱体であることを特徴とする請求項１に記載のマイクロ波感知によるＬＥＤ蛍光灯。
【請求項３】
前記アルミニウム合金の発熱体の外側壁に発熱用のフィンを設置することを特徴とする請求項２に記載のマイクロ波感知によるＬＥＤ蛍光灯。
【請求項４】
前記蛍光灯シェード（３）は半円状の管体であることを特徴とする請求項３に記載のマイクロ波感知によるＬＥＤ蛍光灯。
【請求項５】
前記蛍光灯シェード（３）はＰＶＣによるシェードであることを特徴とする請求項４に記載のマイクロ波感知によるＬＥＤ蛍光灯。
【考案の詳細な説明】
【技術分野】
【０００１】
本考案は、マイクロ波感知によるＬＥＤ蛍光灯に関する。
【背景技術】
【０００２】
照明用の電球は都市の道路、歩道、車庫、会社、公共の場所などの照明に汎用され、且つ、人間にたくさんの便利をもたらす。よく用いられる照明用のランプ種類はタングステン電球、蛍光灯、ＬＥＤなどがある。ＬＥＤは高効率、安全、省エネルギ、エコフレンドリー、長寿命、高速な反応などの利点があるので、次第に最も幅広く応用される照明電球となってきている。
【考案の概要】
【考案が解決しようとする課題】
【０００３】
しかしながら、前述した従来のＬＥＤ蛍光灯では、仕事時、使用者がスイッチの操作によりＬＥＤ蛍光灯の点滅を制御すると不便であり、更に自動制御を必要とする場合に適用されない。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、既存の技術の欠点を向上すると共に便利に使用され、且つ自動制御を必要とする場合に適用されるマイクロ波感知によるＬＥＤ蛍光灯を提供することを主目的とする。
【課題を解決するための手段】
【０００６】
上述した課題を解決し、目的を達成するために、本考案に係るマイクロ波感知によるＬＥＤ蛍光灯は蛍光灯シェードと蛍光灯接続端とＬＥＤと蛍光灯本体で構成され、蛍光灯接続端は蛍光灯本体の両端に設置され、蛍光灯シェードは蛍光灯本体に設置されると共に前記ＬＥＤを覆って設けられるマイクロ波感知によるＬＥＤ蛍光灯であって、マイクロ波感知装置をさらに具備し、蛍光灯シェードは前記マイクロ波感知装置を覆って設けられる。
【０００７】
前記蛍光灯本体はアルミニウム合金製の発熱体である。
【０００８】
前記アルミニウム合金の発熱体の外側壁に発熱用のフィンを設置する。
【０００９】
前記蛍光灯シェードは半円状の管体である。
【００１０】
前記蛍光灯シェードはＰＶＣによるシェードである。
【考案の効果】
【００１１】
前記マイクロ波感知によるＬＥＤ蛍光灯は、蛍光灯シェードと蛍光灯接続端とＬＥＤと蛍光灯本体で構成され、蛍光灯接続端は蛍光灯本体の両端に設置され、蛍光灯シェードは蛍光灯本体に設置されると共に前記ＬＥＤを覆って設けられ、更にマイクロ波感知装置を含み、蛍光灯シェードは前記マイクロ波感知装置を覆って設けられる。使用時、前記マイクロ波感知装置は人体の移動に対して検知を行う。人体の移動を検知すると、ＬＥＤをオンさせ、逆に人体の移動を検知しないと、ＬＥＤをオフさせる。こうすると、自動制御の目的を達成すると共に、便利に使用され、且つ自動制御を必要とする場合に適用される。
【図面の簡単な説明】
【００１２】
【図１】本考案の実施形態によるマイクロ波感知によるＬＥＤ蛍光灯を説明する概略図である。
【考案を実施するための形態】
【００１３】
以下、本考案の実施形態を図面に基づいて説明する。なお、本考案は、以下に説明する実施形態に限定されるものではない。
【００１４】
本考案の実施形態に係るマイクロ波感知によるＬＥＤ蛍光灯は、図１に示すように、蛍光灯シェード（３）と蛍光灯接続端（２）とＬＥＤと蛍光灯本体（１）で構成され、蛍光灯接続端（２）は蛍光灯本体（１）の両端に設置され、蛍光灯シェード（３）は蛍光灯本体（１）に設置されると共に前記ＬＥＤを覆って設けられ、更にマイクロ波感知装置を含み、蛍光灯シェード（３）は前記マイクロ波感知装置を覆って設けられる。この好ましい実施形態では、前記蛍光灯本体（１）はアルミニウム合金の発熱体であり、且つ前記アルミニウム合金の発熱体の外側壁に発熱用のフィンを設置する。アルミニウム合金の発熱体は良好な導熱性と発熱性を有するので、発熱用のフィンは前記アルミニウム合金の発熱体と外からの空気の接触面積を増加し、アルミニウム合金の発熱体の発熱効果を有効に向上するようになる。なお、この好ましい実施形態では、前記蛍光灯シェード（３）は半円状の管体で、ＰＶＣによるシェードである。
【００１５】
以下に本考案のマイクロ波感知によるＬＥＤ蛍光灯動作原理について、詳細に説明する。マイクロ波感知装置は迅速な検知反応能力を有すると共に、感度が高い利点を有するので、使用時、前記マイクロ波感知装置は人体の移動に対して検知を行う。人体の移動を検知すると、ＬＥＤをオンさせ、逆に人体の移動を検知しないと、ＬＥＤをオフさせる。こうすると、自動制御の目的を達成する。スイッチの動作を合せて使用する場合、更に柔軟性が高まり、且つ便利に使用され、自動制御を必要とする場合に適用される。
【００１６】
以上、本考案の実施形態について図面を参照して詳述したが、具体的な構成はこの実施形態に限られるものではなく、本考案の要旨を逸脱しない範囲の設計変更等も含まれる。
【符号の説明】
【００１７】
１  蛍光灯本体、
２  蛍光灯接続端、
３  蛍光灯シェード。
【図１】
0003186699.tif 000003
(57)【要約】【課題】  加工時にブラシ毛材に力が加わった場合であっても、先端部の放射形状を維持することができ、立体の平面部や角部に発生したバリを除去できると共に、立体内部に形成された穴部や空洞部に発生したバリも除去できるバリ取りブラシを提供する。【解決手段】  バリ取りブラシ１は、略棒状の軸体４の一端に複数本のブラシ毛材２が形成されてあり、ブラシ毛材２の略中央を線材３にて束ねて固定する事により、ブラシ毛材２の略中央から放射状に形成されてある。また、ブラシ毛材２は端部６と広がり部７を有し、線材３はループ状に形成され、ブラシ毛材２を挟み付けると共に軸体４と固着部５にて固定されている。【選択図】図２
0003186693.tif 000002
【実用新案登録請求の範囲】
【請求項１】
被加工面の研削、研磨、表面処理、洗浄、バリ取り等の各種加工をする為のバリ取りブラシにおいて、前記バリ取りブラシは、略棒状の軸体の一端に複数本のブラシ毛材が形成されてあり、前記ブラシ毛材の略中央を線材にて束ねて固定する事により、前記ブラシ毛材が略中央から放射状に形成されてあり、前記線材と前記軸体は固着部にて固定されてあることを特徴とするバリ取りブラシ。
【考案の詳細な説明】
【技術分野】
【０００１】
本考案は、被加工面の研削、研磨、表面処理、洗浄、バリ取り等の各種加工をする為のバリ取りブラシに関するものである。
【背景技術】
【０００２】
従来から、金属毛材及び合成樹脂毛材からなる複数本のブラシ毛素材の先端が二股に分かれ、筒状部材に取り付けられたバリ取りブラシが知られている。（特許文献１）。
【先行技術文献】
【特許文献】
【０００３】
【特許文献１】特開２００５−１９９３６４号公報
【考案の概要】
【考案が解決しようとする課題】
【０００４】
上記特許文献１のバリ取りブラシは、複数本のブラシ毛素材を二股の先端形状になるように、折り曲げてある為、加工時にはブラシ毛材に力が加わり、折り曲げが戻ることにより二股の先端形状を維持できず、本来のバリ取り効果が発揮できない課題を有していた。
【０００５】
本考案は、上記のような課題を解決する為になされたものであり、加工時にブラシ毛材に力が加わった場合であっても、先端部の放射形状を維持することができ、立体の平面部や角部に発生したバリを除去できると共に、立体内部に形成された穴部や空洞部に発生したバリも除去できるバリ取りブラシを提供することを目的としている。
【課題を解決するための手段】
【０００６】
本考案は、上記従来の課題を解決する為に、被加工面の研削、研磨、表面処理、洗浄、バリ取り等の各種加工をする為のバリ取りブラシにおいて、前記バリ取りブラシは、略棒状の軸体の一端に複数本のブラシ毛材が形成されてあり、前記ブラシ毛材の略中央を線材にて固定する事により、前記ブラシ毛材が略中央から放射状に形成されてあり、前記線材と前記軸体は固着部にて固定されてあることを特徴としている。したがって、加工時にブラシ毛材に力が加わった場合であっても、先端部の放射形状を維持することができ、立体の平面部や角部に発生したバリを除去できると共に、立体内部に形成された穴部や空洞部に発生したバリも除去できる。
【考案の効果】
【０００７】
本考案では、加工時にブラシ毛材に力が加わった場合であっても、先端部の放射形状を維持することができ、立体の平面部や角部に発生したバリを除去できると共に、立体内部に形成された穴部や空洞部に発生したバリも除去できる。
【図面の簡単な説明】
【０００８】
【図１】本考案のバリ取りブラシの正面図。
【図２】本考案のバリ取りブラシの斜視図。
【図３】本考案のバリ取りブラシの使用状態を表す説明図。
【考案を実施するための形態】
【０００９】
図１は、本考案のバリ取りブラシの正面図であり、図２は、本考案のバリ取りブラシの斜視図、図３は、本考案のバリ取りブラシの使用状態を表す説明図である。
【００１０】
バリ取りブラシ１は、略棒状の軸体４の一端に複数本のブラシ毛材２が形成されてあり、ブラシ毛材２の略中央を線材３にて束ねて固定する事により、ブラシ毛材２の略中央から放射状に形成されてある。また、ブラシ毛材２は端部６と広がり部７を有し、線材３はループ状に形成され、ブラシ毛材２を挟み付けると共に軸体４と固着部５にて固定されている。
【００１１】
軸体４は、略円筒形状以外にも、略角筒形状、略円柱形状、略角柱形状を採用でき、材質はステンレス、鋳鉄等の各種金属材料、アルミニウム合金等の各種非鉄金属材料、各種樹脂材料等を使用目的に応じて使用する。また、ブラシ毛材２には、使用目的に応じて、各種天然繊維、ナイロン等の各種化学繊維の材料が使用できるが、砥粒入りナイロンや、ピアノ線やステンレス線などの無機繊維等のバリを除去する為の高い研削力を有する材料を使用するのが好適である。また、線材３は、概円形の断面を有する長尺材が使用されてあり、材質としては鋼線以外にも、例えば、ＳＵＳ３０４等に代表されるステンレス鋼線、各種ピアノ線、硬鋼線等の鋼線、真鍮線、りん青銅線等の非鉄金属線等を使用できる。また、固着部５はかしめ固定以外にも、材質に応じて接着、溶着、溶接等、適時、設定できる。
【００１２】
バリ取りブラシ１は、軸体４を、回転工具や回転機器に装着し、回転させて使用する。また、バリ取りブラシ１は、図３の如く、穴部１１ｂを有する加工物１１のバリ取りに好適に使用される。穴部１１ｂの内部に発生したバリや穴部１１ｂと平面部１１ａとの間の角部１１ｃに発生したバリは、ブラシ毛材２の広がり部７にて拭き払い、端部６にて掻き出す事により除去される。また、加工物１１の内部に穴部１１ｂよりも大きな内径を有する空洞部１１ｆが形成されている場合も、角部１１ｅに発生したバリをブラシ毛材２にて除去できると共に、空洞部１１ｆにおいて、ブラシ毛材２が放射状に押し広げられることにより、端部６が角部１１ｄ及び内壁部１１ｇに接触してバリを除去できる。また、ブラシ毛材２は線材３がループ状に挟み付けて固定されてあるため、加工時に脱落することがない。
【００１３】
バリ取りブラシ１は、加工物１１の平面部１１ａ、角部１１ｃ、穴部１１ｂ、空洞部１１ｆの角部１１ｄ、角部１１ｅ、及び内壁部１１ｇに当接しバリを除去できるので、１工程で複数箇所のバリ取り加工が可能である。
【産業上の利用可能性】
【００１４】
本考案のバリ取りブラシは、被加工面の研削、研磨、表面処理、洗浄、バリ取り等の各種加工をする為のブラシとして、広く好適に使用することができる。
【符号の説明】
【００１５】
１  バリ取りブラシ
２  ブラシ毛材
３  線材
４  軸体
５  固着部
６  端部
７  広がり部
１１  加工物
１１ａ  平面部
１１ｂ  穴部
１１ｃ、１１ｄ、１１ｅ  角部
１１ｆ  空洞部
１１ｇ  内壁部
【図１】
0003186693.tif 000003
【図２】
0003186693.tif 000004
【図３】
0003186693.tif 000005